(57)【要約】【課題】  四周にクローズ式の安全強化部が形成され、構造強度が高められ、亀裂損傷を防止し、作業員の怪我を防止し、産業上の利用価値を有する紙製パレットアセンブリの提供。【解決手段】  紙製の矩形のデッキボードと、該デッキボードの底部に設けられた紙製のけた装置を具えている。該デッキボードは、矩形上片を具え、該上片の四周に折り曲げにより連接片と、四周の連接片の外側の底折片が形成されている。上片と四周の連接片及び底折片が折り曲げにより共同で構成するデッキボード内部空間中に複数の補強紙板が組み合わされる。【選択図】        図３
0003114701.tif 000002
【実用新案登録請求の範囲】
【請求項１】
紙製パレットアセンブリにおいて、該紙製パレットアセンブリは、紙製の矩形のデッキボードと、該デッキボードの底部に設けられた紙製のけた装置を具え、該デッキボードは矩形の上片を具え、該上片の四周に折り曲げにより連接片と、四周の連接片の外側の底折片が形成され、上片と四周の連接片及び底折片が折り曲げにより共同で構成するデッキボード内部空間中に複数の補強紙板が組み合わされたことを特徴とする、紙製パレットアセンブリ。
【請求項２】
請求項１記載の紙製パレットアセンブリにおいて、底折片が両側の斜辺を含有する台形片体とされ、並びに隣り合う底折片相互間の両側の斜辺が相互に突き合わせ接合されたことを特徴とする、紙製パレットアセンブリ。
【請求項３】
請求項１記載の紙製パレットアセンブリにおいて、底折片が三角形片体とされ、隣り合う底折片が相互に突き合わせ接合されたことを特徴とする、紙製パレットアセンブリ。
【請求項４】
請求項１記載の紙製パレットアセンブリにおいて、デッキボード底部とけた装置の間に底板が接合されたことを特徴とする、紙製パレットアセンブリ。
【考案の詳細な説明】
【技術分野】
【０００１】
本考案は紙製パレットアセンブリに係り、矩形のデッキボードと底部のけたを具えた紙製パレットアセンブリに関する。
【背景技術】
【０００２】
ダンボール製のパレットは軽量で、製造コストが低廉で回収である等の多くの長所があるため大量に木製或いは金属製パレットに代わり使用されている。
【０００３】
図１は周知の一般のダンボール製パレット９０を示し、該パレット９０は基本的に、デッキボード９１及びその下方の複数のけた９２を具え、該デッキボード９１は複数層のダンボール或いは厚紙が重畳するよう接着されてなり、全体のパレット９０の強度が増されている。
【０００４】
パレット９０のデッキボード９１の四周はいずれも切断辺とされ、このためその端辺により作業員が傷を負い易い。このほか、多層のダンボールからなるデッキボード９１に貨物を積載の後、通常、ポリエチレンテープで梱包する必要がある。ただし、デッキボード９１の四周端辺の裁断辺が未遮蔽の開放式であるためテープが緊縛の力を受けて、デッキボード９１の端辺の裁断辺に食い込み、亀裂損壊情況を形成し、パレット９０の使用機能に影響を与え、パレットの貨物の陥落させ、損傷した端辺が作業員の手部を傷つけやすく、改善の必要がある。
【考案の開示】
【考案が解決しようとする課題】
【０００５】
本考案の主要な目的は、一種の紙製パレットアセンブリを提供することにあり、そのデッキボードの四周端辺にクローズ式の安全強化部が形成され、構造強度が高められ、亀裂損傷を防止でき、作業員の怪我を防止し、実際の使用の必要に符合し、産業上の利用価値を具備するものとする。
【０００６】
上述の目的を達成するため、本考案の紙製パレットアセンブリは、紙製の矩形のデッキボードと、該デッキボードの底部に設けられた紙製のけた装置を具えている。該デッキボードは、矩形上片を具え、該上片の四周に折り曲げにより連接片と、四周の連接片の外側の底折片が形成されている。上片と四周の連接片及び底折片が折り曲げにより共同で構成するデッキボード内部空間中に複数の補強紙板が組み合わされる。
【０００７】
可能な実施例において、該底折片は両側の斜辺を含有する台形片体とされ、並びに隣り合う底折片相互間の両側の斜辺が相互に突き合わせ接合される。
【０００８】
別の実施例において、該底折片は三角形片体とされ、並びに各隣り合う底折片が相互に突き合わせ接合される。
【０００９】
好ましい実施例において、該デッキボード底部とけた装置の間に底板が接合される。
【課題を解決するための手段】
【００１０】
請求項１の考案は、紙製パレットアセンブリにおいて、該紙製パレットアセンブリは、紙製の矩形のデッキボードと、該デッキボードの底部に設けられた紙製のけた装置を具え、該デッキボードは矩形の上片を具え、該上片の四周に折り曲げにより連接片と、四周の連接片の外側の底折片が形成され、上片と四周の連接片及び底折片が折り曲げにより共同で構成するデッキボード内部空間中に複数の補強紙板が組み合わされたことを特徴とする、紙製パレットアセンブリとしている。
請求項２の考案は、請求項１記載の紙製パレットアセンブリにおいて、底折片が両側の斜辺を含有する台形片体とされ、並びに隣り合う底折片相互間の両側の斜辺が相互に突き合わせ接合されたことを特徴とする、紙製パレットアセンブリとしている。
請求項３の考案は、請求項１記載の紙製パレットアセンブリにおいて、底折片が三角形片体とされ、隣り合う底折片が相互に突き合わせ接合されたことを特徴とする、紙製パレットアセンブリとしている。
請求項４の考案は、請求項１記載の紙製パレットアセンブリにおいて、デッキボード底部とけた装置の間に底板が接合されたことを特徴とする、紙製パレットアセンブリとしている。
【考案の効果】
【００１１】
本考案の紙製パレットアセンブリのデッキボードの上片の四周は折り曲げにより連接片で側端辺が形成され、四周にクローズ式の安全強化部が形成され、構造強度が高められ、亀裂損傷を防止し、作業員の怪我を防止し、産業上の利用価値を有する。
【考案を実施するための最良の形態】
【００１２】
図２に示されるように、本考案の紙製パレットアセンブリは、紙製のデッキボード１０、及び該デッキボード１０の底部に設けられた紙製のけた装置５０を包含する。該紙製のけた装置５０の主板体に間隔配列された複数のけた５１、５２、５３が設けられ、デッキボード１０は正方形或いは長方形に形成され、貨物の積載に供される。
【００１３】
図２から図５に示されるように、該紙製のデッキボード１０は、必要なサイズの矩形上片２０を具え、該上片２０の四周にそれぞれ折り曲げられて側端辺を構成する連接片２１、２２、２３、２４と、四周の連接片２１、２２、２３、２４の外側に位置する底折片２５、２６、２７、２８が設けられる。上述の上片２０、四周の連接片２１、２２、２３、２４、四周の底折片２５、２６、２７、２８は折られて共同で中空板体を構成し、並びに内部空間中に、上片２０と同じ形状の複数の補強紙板３０が組み合わされ、四周にクローズ式の安全強化部を具えたデッキボード１０が形成される。
【００１４】
本実施例の上片２０、四周の連接片２１、２２、２３、２４及び底折片２５、２６、２７、２８にはダンボール或いは厚紙板が採用され、連接片２１、２２、２３、２４が折り曲げられて形成する側端辺のサイズは複数の補強紙板３０の重畳厚さに合わされ、各底折片２５、２６、２７、２８が補強紙板３０底部を被覆し、けた装置５０及びそのけた５１、５２、５３の上に接合される。
【００１５】
デッキボード１０の上片２０の四周に連接片２１、２２、２３、２４により側端辺が形成され、これにより四周のクローズ式の安全強化部が形成され、構造強度が高められ、亀裂損傷を防止し、作業員の傷を防止する。
【００１６】
図３〜図５に示される実施例において、該底折片２５、２６、２７、２８は両側の斜辺２９を具えた台形片体とされ、各隣り合う底折片２５、２６、２７、２８相互間の斜辺２９が突き合わせ接合され、且つ補強紙板３０底部の四周区域を被覆する。このほか、各底折片２５０のサイズを増して（図６）、その被覆面積を増加できる。図７に示される実施例では、各底折片２５１は相互に接合される三角形片体とされ、確実に全面を被覆する。
【００１７】
図８に示されるけた装置６０の構造中、各けた６１、６２、６３はいずれも複数組のユニットで組成される。
【００１８】
図９に示されるパレットアセンブリ中、該デッキボード１０の底部に底板４０が接合されて、けた装置の各けた７１、７２、７３が接合される。
【００１９】
本考案の紙製パレットアセンブリのデッキボード１０の上片２０の四周は折り曲げにより連接片２１、２２、２３、２４で側端辺が形成され、四周にクローズ式の安全強化部が形成され、構造強度が高められ、亀裂損傷を防止し、作業員の怪我を防止し、産業上の利用価値を有する。
【図面の簡単な説明】
【００２０】
【図１】周知のダンボール製パレットの立体図である。
【図２】本考案の実施例の紙製パレットアセンブリの立体図である。
【図３】図２のデッキボードの底から観た立体図である。
【図４】図３のデッキボードの上片の展開図である。
【図５】図３のデッキボードの折り加工動作図である。
【図６】図３のデッキボードの別の底折片の表示図である。
【図７】図３のデッキボードのまた別の底折片の表示図である。
【図８】図２のパレットアセンブリの別のけた装置の立体図である。
【図９】図２のパレットアセンブリの更に別のけた装置の立体図である。
【符号の説明】
【００２１】
１０  デッキボード
２０  上片
２１、２２、２３、２４  連接片
２５、２６、２７、２８  底折片
２９  斜辺
２５０  底折片
２５１  底折片
３０  補強紙板
４０  底板
５０  けた装置
５１、５２、５３  けた
６０  けた装置
６１、６２、６３  けた
７１、７２、７３  けた
【図１】
0003114701.tif 000003
【図２】
0003114701.tif 000004
【図３】
0003114701.tif 000005
【図４】
0003114701.tif 000006
【図５】
0003114701.tif 000007
【図６】
0003114701.tif 000008
【図７】
0003114701.tif 000009
【図８】
0003114701.tif 000010
【図９】
0003114701.tif 000011